(57)【要約】【課題】カラーフィルタを用いなくとも所定色の照射光を壁面に向けて照射することができ、エネルギー消費量及び発熱量を低減させることができるホリゾントライト装置を提供すること。【解決手段】ホリゾントライト装置１は、赤色発光ダイオード２ａが配列された赤色発光ダイオード列３ａを有した光源６ａが光出射口７ａを有する筐体８ａ内に配設された赤色ホリゾントライト９ａと、赤色ホリゾントライト９ａに対して隣接配置されており、緑色発光ダイオード２ｂが配列された緑色発光ダイオード列３ｂを有した光源６ｂが光出射口７ｂを有する筐体８ｂ内に配設された緑色ホリゾントライト９ｂと、緑色ホリゾントライト９ｂに対して隣接配置されており、青色発光ダイオード２ｃが配列された青色発光ダイオード列３ｃを有した光源６ｃが光出射口７ｃを有する筐体８ｃ内に配設された青色ホリゾントライト９ｃとを具備している。【選択図】図１
2013143347.tif 000002
【特許請求の範囲】
【請求項１】
赤色発光ダイオードが配列された赤色発光ダイオード列及び白色発光ダイオードが配列された白色発光ダイオード列を有した光源が光出射口を有する筐体内に配設された赤色ホリゾントライトと、この赤色ホリゾントライトに対して隣接配置されており、緑色発光ダイオードが配列された緑色発光ダイオード列及び白色発光ダイオードが配列された白色発光ダイオード列を有した光源が光出射口を有する筐体内に配設された緑色ホリゾントライトと、この緑色ホリゾントライトに対して隣接配置されており、青色発光ダイオードが配列された青色発光ダイオード列及び白色発光ダイオードが配列された白色発光ダイオード列を有した光源が光出射口を有する筐体内に配設された青色ホリゾントライトとを具備しており、赤色ホリゾントライト、緑色ホリゾントライト及び青色ホリゾントライトのうちの少なくとも一つのホリゾントライトの白色発光ダイオード列の電力は、前記少なくとも一つのホリゾントライトの赤色発光ダイオード列、緑色発光ダイオード列及び青色発光ダイオード列のうちの少なくとも一つの電力の１／２以下であるホリゾントライト装置。
【請求項２】
青色ホリゾントライトに対して隣接配置されており、赤色発光ダイオードが配列された赤色発光ダイオード列及び白色発光ダイオードが配列された白色発光ダイオード列を有した光源が光出射口を有する筐体内に配設された他の赤色ホリゾントライトと、この他の赤色ホリゾントライトに対して隣接配置されており、緑色発光ダイオードが配列された緑色発光ダイオード列及び白色発光ダイオードが配列された白色発光ダイオード列を有した光源が光出射口を有する筐体内に配設された他の緑色ホリゾントライトと、この緑色ホリゾントライトに対して隣接配置されており、青色発光ダイオードが配列された青色発光ダイオード列及び白色発光ダイオードが配列された白色発光ダイオード列を有した光源が光出射口を有する筐体内に配設された他の青色ホリゾントライトとを具備しており、他の赤色ホリゾントライト、他の緑色ホリゾントライト及び他の青色ホリゾントライトのうちの少なくとも一つのホリゾントライトの白色発光ダイオード列の電力は、前記少なくとも一つのホリゾントライトの赤色発光ダイオード列、緑色発光ダイオード列及び青色発光ダイオード列のうちの少なくとも一つの電力の１／２以下であるホリゾントライト装置。
【請求項３】
筐体は、鏡面からなる内面を有していると共に光出射口を有した筐体本体と、光出射口の縁部において筐体本体に装着されたバンドアとを具備しており、バンドアの内側面は鏡面からなる請求項１又は２に記載のホリゾントライト装置。
【請求項４】
赤色発光ダイオード、緑色発光ダイオード、青色発光ダイオード及び白色発光ダイオードの夫々は、平面状の発光面を有している請求項１から３のいずれか一項に記載のホリゾントライト装置。
【請求項５】
赤色発光ダイオード列の赤色発光ダイオードの夫々の平面状の発光面、緑色発光ダイオード列の緑色発光ダイオードの夫々の平面状の発光面、青色発光ダイオード列の青色発光ダイオードの夫々の平面状の発光面又は白色発光ダイオード列の白色発光ダイオードの夫々の平面状の発光面は、互いに面一である請求項４に記載のホリゾントライト装置。
【発明の詳細な説明】
【技術分野】
【０００１】
本発明は、ＴＶスタジオ、写真スタジオ、ステージ等の壁（ホリゾント）を上方や下方から照射し、この照射光によって壁面の光演出を行うホリゾントライト装置に関する。
【背景技術】
【０００２】
例えば、特許文献１及び２においては、光源と、光源が内部に配置された筐体と、筐体の光射出口に取り付けられるカラーフィルタとを具備しており、このカラーフィルタの色によって壁面に対する照射光の色を調整するホリゾントライトが提案されている。斯かるホリゾントライトの光源には、例えば１ＫＷ〜３００Ｗ程度のハロゲンランプが用いられる。
【０００３】
また、壁面の演出は、例えば、白色光を照射するホリゾントライト、赤色光を照射するホリゾントライト、緑色光を照射するホリゾントライト及び青色光を照射するホリゾントライトが四灯並設されたホリゾントライト装置によって行われる。
【先行技術文献】
【特許文献】
【０００４】
【特許文献１】特開２００８−１３０３４１号公報
【特許文献２】特開２００８−１３０３２６号公報
【発明の概要】
【発明が解決しようとする課題】
【０００５】
ところで、斯かるホリゾントライトでは、ハロゲンランプ等からなる一つの光源を有するだけであるために、所定色の照射光を壁面に向けて照射するためにはカラーフィルタを用いなければならず、また、エネルギー消費量及び発熱量も多い。また、上述のホリゾントライト装置では、少なくとも四灯のホリゾントライトが必要となるために、エネルギー消費量及び発熱量の低減を図り難い。
【０００６】
尚、ホリゾントライトの発熱はＴＶスタジオ、舞台等の温度を上昇させる原因の一つとなっており、斯かる温度の上昇は演出者等の演出にも多大な影響を及ぼすため、ホリゾントライトの発熱量の低減は重要な課題の一つである。
【０００７】
本発明は、前記諸点に鑑みてなされたものであって、その目的とするところは、カラーフィルタを用いなくとも所定色の照射光を壁面に向けて照射することができ、エネルギー消費量及び発熱量を低減させることができるホリゾントライト装置を提供することにある。
【課題を解決するための手段】
【０００８】
本発明のホリゾントライト装置は、赤色発光ダイオードが配列された赤色発光ダイオード列及び白色発光ダイオードが配列された白色発光ダイオード列を有した光源が光出射口を有する筐体内に配設された赤色ホリゾントライトと、この赤色ホリゾントライトに対して隣接配置されており、緑色発光ダイオードが配列された緑色発光ダイオード列及び白色発光ダイオードが配列された白色発光ダイオード列を有した光源が光出射口を有する筐体内に配設された緑色ホリゾントライトと、この緑色ホリゾントライトに対して隣接配置されており、青色発光ダイオードが配列された青色発光ダイオード列及び白色発光ダイオードが配列された白色発光ダイオード列を有した光源が光出射口を有する筐体内に配設された青色ホリゾントライトとを具備しており、赤色ホリゾントライト、緑色ホリゾントライト及び青色ホリゾントライトのうちの少なくとも一つのホリゾントライトの白色発光ダイオード列の電力は、前記少なくとも一つのホリゾントライトの赤色発光ダイオード列、緑色発光ダイオード列及び青色発光ダイオード列のうちの少なくとも一つの電力の１／２以下である。
【０００９】
本発明のホリゾントライト装置によれば、赤色発光ダイオードが配列された赤色発光ダイオード列及び白色発光ダイオードが配列された白色発光ダイオード列を有した光源が光出射口を有する筐体内に配設された赤色ホリゾントライトと、この赤色ホリゾントライトに対して隣接配置されており、緑色発光ダイオードが配列された緑色発光ダイオード列及び白色発光ダイオードが配列された白色発光ダイオード列を有した光源が光出射口を有する筐体内に配設された緑色ホリゾントライトと、この緑色ホリゾントライトに対して隣接配置されており、青色発光ダイオードが配列された青色発光ダイオード列及び白色発光ダイオードが配列された白色発光ダイオード列を有した光源が光出射口を有する筐体内に配設された青色ホリゾントライトとを具備しており、赤色ホリゾントライト、緑色ホリゾントライト及び青色ホリゾントライトのうちの少なくとも一つのホリゾントライトの白色発光ダイオード列の電力は、前記少なくとも一つのホリゾントライトの赤色発光ダイオード列、緑色発光ダイオード列及び青色発光ダイオード列のうちの少なくとも一つの電力の１／２以下であるために、カラーフィルタを用いなくとも所定色の照射光を壁面に向けて照射することができ、エネルギー消費量及び発熱量を低減させることができ、また、筐体の排熱口数を減少させ又はなくし得、各ホリゾントライトの筐体から光漏れが生じる虞をなくし得る。
【００１０】
本発明のホリゾントライト装置では、青色ホリゾントライトに対して隣接配置されており、赤色発光ダイオードが配列された赤色発光ダイオード列及び白色発光ダイオードが配列された白色発光ダイオード列を有した光源が光出射口を有する筐体内に配設された他の赤色ホリゾントライトと、この他の赤色ホリゾントライトに対して隣接配置されており、緑色発光ダイオードが配列された緑色発光ダイオード列及び白色発光ダイオードが配列された白色発光ダイオード列を有した光源が光出射口を有する筐体内に配設された他の緑色ホリゾントライトと、この緑色ホリゾントライトに対して隣接配置されており、青色発光ダイオードが配列された青色発光ダイオード列及び白色発光ダイオードが配列された白色発光ダイオード列を有した光源が光出射口を有する筐体内に配設された他の青色ホリゾントライトとを具備しており、他の赤色ホリゾントライト、他の緑色ホリゾントライト及び他の青色ホリゾントライトのうちの少なくとも一つのホリゾントライトの白色発光ダイオード列の電力は、前記少なくとも一つのホリゾントライトの赤色発光ダイオード列、緑色発光ダイオード列及び青色発光ダイオード列のうちの少なくとも一つの電力の１／２以下であってもよい。
【００１１】
本発明のホリゾントライト装置では、筐体は、鏡面からなる内面を有していると共に光出射口を有した筐体本体と、光出射口の縁部において筐体本体に装着されたバンドアとを具備しており、バンドアの内側面は鏡面からなっていてもよい。
【００１２】
本発明のホリゾントライト装置では、赤色発光ダイオード、緑色発光ダイオード、青色発光ダイオード及び白色発光ダイオードの夫々は、平面状の発光面を有していてもよく、このようなホリゾントライト装置によれば、照射光に色ムラが生じる虞を低減し得る。
【００１３】
本発明のホリゾントライト装置では、赤色発光ダイオード列の赤色発光ダイオードの夫々の平面状の発光面、緑色発光ダイオード列の緑色発光ダイオードの夫々の平面状の発光面、青色発光ダイオード列の青色発光ダイオードの夫々の平面状の発光面又は白色発光ダイオード列の白色発光ダイオードの夫々の平面状の発光面は、互いに面一であってもよい。
【発明の効果】
【００１４】
本発明によれば、カラーフィルタを用いなくとも所定色の照射光を壁面に向けて照射することができ、エネルギー消費量及び発熱量を低減させることができるホリゾントライト装置を提供し得る。
【図面の簡単な説明】
【００１５】
【図１】図１は、本発明の実施の形態の例の正面説明図である。
【図２】図２は、図１に示す例の側面説明図である。
【図３】図３は、図１に示す例の主に赤色ホリゾントライトの光源の正面説明図である。
【図４】図４は、図３に示す断面説明図である。
【図５】図５は、図１に示す例の主に緑色ホリゾントライトの光源の正面説明図である。
【図６】図６は、図５に示す断面説明図である。
【図７】図７は、図１に示す例の主に青色ホリゾントライトの光源の正面説明図である。
【図８】図８は、図７に示す断面説明図である。
【図９】図９は、図１に示す例の設置に関する説明図である。
【図１０】図１０は、本発明の実施の形態の他の例の説明図である。
【発明を実施するための形態】
【００１６】
次に本発明を、図に示す好ましい実施の形態の例に基づいて更に詳細に説明する。なお、本発明はこれら例に何等限定されないのである。
【実施例】
【００１７】
図１から図８において、本例のホリゾントライト装置１は、赤色発光ダイオード２ａが配列された赤色発光ダイオード列３ａ及び白色発光ダイオード４ａが配列された白色発光ダイオード列５ａを有した光源６ａが光出射口７ａを有する筐体８ａ内に配設された赤色ホリゾントライト９ａと、赤色ホリゾントライト９ａに対して隣接配置されており、緑色発光ダイオード２ｂが配列された緑色発光ダイオード列３ｂ及び白色発光ダイオード４ｂが配列された白色発光ダイオード列５ｂを有した光源６ｂが光出射口７ｂを有する筐体８ｂ内に配設された緑色ホリゾントライト９ｂと、緑色ホリゾントライト９ｂに対して隣接配置されており、青色発光ダイオード２ｃが配列された青色発光ダイオード列３ｃ及び白色発光ダイオード４ｃが配列された白色発光ダイオード列５ｃを有した光源６ｃが光出射口７ｃを有する筐体８ｃ内に配設された青色ホリゾントライト９ｃと、青色ホリゾントライト９ｃに対して隣接配置されていると共に赤色ホリゾントライト９ａと同様に構成された他の赤色ホリゾントライト１０ａと、赤色ホリゾントライト１０ａに対して隣接配置されていると共に緑色ホリゾントライト９ｂと同様に構成された他の緑色ホリゾントライト１０ｂと、緑色ホリゾントライト１０ｂに対して隣接配置されてていると共に青色ホリゾントライト９ｃと同様に構成された他の青色ホリゾントライト１０ｃと、赤色ホリゾントライト９ａ及び１０ａ、緑色ホリゾントライト９ｂ及び１０ｂ並びに青色ホリゾントライト９ｃ及び１０ｃを互いに連結して横方向に伸びた基体１１とを具備している。
【００１８】
ホリゾントライト装置１は、例えば図９に示すように、ＴＶスタジオ、写真スタジオ、ステージ等の天井１２又は床面１３に設置され、照射すべき壁面１４を上方又は下方から照らして当該壁面１４の光演出を行う。
【００１９】
赤色ホリゾントライト１０ａ、緑色ホリゾントライト１０ｂ及び青色ホリゾントライト１０ｃは、赤色ホリゾントライト９ａ、緑色ホリゾントライト９ｂ及び青色ホリゾントライト９ｃと夫々同様に構成されているので、図に適宜同符号を付してその詳細な説明を省略する。
【００２０】
筐体８ａは、光反射面としての内面が鏡面で形成されていると共に矩形状の光出射口７ａを有している筐体本体２２ａと、光出射口７ａの縁部２３ａにおいて筐体本体２２ａに装着されたバンドア２４ａとを具備している。
【００２１】
バンドア２４ａの内側面２５ａは、本例では光反射面としての鏡面からなっていてもよい。筐体本体２２ａの横幅は２５０ｍｍ程度である。筐体本体２２ａの内面は光源６ａの照射光が光出射口７ａを介して壁面１４に向かうように湾曲して形成されていてもよい。バンドア２４ａは、筐体本体２２ａにヒンジ等を介して可動に装着されており、バンドア２４ａの筐体本体２２ａに対する傾斜角を適宜調整することによってＴＶスタジオ、ステージ等の状況に応じた所望の照射光が得られる。
【００２２】
光源６ａは、例えば図３に示すように、横方向に一列に並んで筐体本体２２ａに装着された複数（本例では五つ）のＬＥＤライト３０ａを具備している。複数のＬＥＤライト３０ａの夫々は、例えば図３及び図４に示すように、筐体本体２２ａに着脱自在に取り付けられると共に鏡面からなる光反射面としての内面３２ａを有した正面視矩形状のケース３１ａと、横方向において一列に並んでケース３１ａの内部に設けられた複数の白色発光ダイオード４ａとを具備している。複数の白色発光ダイオード４ａは白色発光ダイオード列５ａを形成している。
【００２３】
一つのＬＥＤライト３０ａの複数の白色発光ダイオード４ａは、夫々互いに電気的に接続されている。複数の白色発光ダイオード４ａは、正面において露出した平面状の発光面３６ａを夫々有している。白色発光ダイオード列５ａの発光の制御は、これらに供給される電流等の制御、例えばＰＷＭ制御によって行われ、これにより、光源６ａの光量を速やかに且つ漸次的に滑らかに調整し得る。複数の白色発光ダイオード４ａの夫々の消費電力は１Ｗ〜２Ｗ程度である。ＬＥＤライト３０ａの夫々は、これら夫々の消費電力が例えば１０Ｗ程度となるように複数の白色発光ダイオード４ａが並設されてもよい。
【００２４】
光源６ａは、横方向に一列に並んで筐体本体２２ａに装着された複数（本例では五つ）のＬＥＤライト４０ａを具備している。複数のＬＥＤライト４０ａの夫々は、例えば図３及び図４に示すように、筐体本体２２ａに着脱自在に取り付けられると共に鏡面からなる光反射面としての内面４２ａを有した正面視矩形状のケース４１ａと、横方向において一列に並んでケース４１ａの内部に設けられた複数の白色と異なる色を発光する発光ダイオードとして赤色発光ダイオード２ａとを具備している。複数の赤色発光ダイオード２ａは赤色発光ダイオード列３ａを形成している。
【００２５】
一つのＬＥＤライト４０ａの複数の赤色発光ダイオード２ａは、夫々互いに電気的に接続されている。複数の赤色発光ダイオード２ａは、正面において露出した平面状の発光面４６ａを夫々有している。赤色発光ダイオード列３ａの発光の制御は、これらに供給される電流等の制御、例えばＰＷＭ制御によって行われ、これにより、光源６ａの光量を速やかに且つ漸次的に滑らかに調整し得る。複数の赤色発光ダイオード２ａの夫々の消費電力は１Ｗ〜２Ｗ程度である。ＬＥＤライト４０ａの夫々は、これら夫々の消費電力が例えば２０Ｗ程度となるように複数の赤色発光ダイオード２ａが並設されて形成されてもよい。赤色発光ダイオード列３ａの光量は、白色発光ダイオード列５ａの光量に対して大きい。
【００２６】
白色発光ダイオード列５ａは赤色発光ダイオード列３ａに対して下方に配設されているが、その逆に配設されてもよい。赤色ホリゾントライト９ａの白色発光ダイオード列５ａの電力は、赤色発光ダイオード列３ａの電力の１／２以下であり、本例では、ＬＥＤライト３０ａの消費電力は１０Ｗであり、ＬＥＤライト４０ａの消費電力は２０Ｗであり、赤色ホリゾントライト９ａの消費電力は１５０Ｗである。
【００２７】
斯かる光源６ａは、ハロゲンランプ等を具備した光源に対してエネルギー消費量を大幅に低減することができる。
【００２８】
筐体８ｂは、内面が鏡面で形成されていると共に矩形状の光出射口７ｂを有している筐体本体２２ｂと、光出射口７ｂの縁部２３ｂにおいて筐体本体２２ｂに装着されたバンドア２４ｂとを具備している。
【００２９】
バンドア２４ｂの内側面２５ｂは、本例では鏡面からなっていてもよい。筐体本体２２ｂの横幅は２５０ｍｍ程度である。筐体本体２２ｂの内面は光源６ｂの照射光が光出射口７ｂを介して壁面１４に向かうように湾曲して形成されていてもよい。バンドア２４ｂは、筐体本体２２ｂにヒンジ等を介して可動に装着されており、バンドア２４ｂの筐体本体２２ｂに対する傾斜角を適宜調整することによってＴＶスタジオ、ステージ等の状況に応じた所望の照射光が得られる。
【００３０】
光源６ｂは、例えば図５に示すように、横方向に一列に並んで筐体本体２２ｂに装着された複数（本例では五つ）のＬＥＤライト３０ｂを具備している。複数のＬＥＤライト３０ｂの夫々は、例えば図５及び図６に示すように、筐体本体２２ｂに着脱自在に取り付けられると共に鏡面からなる光反射面としての内面３２ｂを有した正面視矩形状のケース３１ｂと、横方向において一列に並んでケース３１ｂの内部に設けられた複数の白色発光ダイオード４ｂとを具備している。複数の白色発光ダイオード４ｂは白色発光ダイオード列５ｂを形成している。
【００３１】
一つのＬＥＤライト３０ｂの複数の白色発光ダイオード４ｂは、夫々互いに電気的に接続されている。複数の白色発光ダイオード４ｂは、正面において露出した平面状の発光面３６ｂを夫々有している。白色発光ダイオード列５ｂの発光の制御は、これらに供給される電流等の制御、例えばＰＷＭ制御によって行われ、これにより、光源６ｂの光量を速やかに且つ漸次的に滑らかに調整し得る。複数の白色発光ダイオード４ｂの夫々の消費電力は１Ｗ〜２Ｗ程度である。ＬＥＤライト３０ｂの夫々は、これら夫々の消費電力が例えば１０Ｗ程度となるように複数の白色発光ダイオード４ｂが並設されてもよい。
【００３２】
光源６ｂは、横方向に一列に並んで筐体本体２２ｂに装着された複数（本例では五つ）のＬＥＤライト４０ｂを具備している。複数のＬＥＤライト４０ｂの夫々は、例えば図５及び図６に示すように、筐体本体２２ｂに着脱自在に取り付けられると共に鏡面からなる光反射面としての内面４２ｂを有した正面視矩形状のケース４１ｂと、横方向において一列に並んでケース４１ｂの内部に設けられた複数の白色と異なる色を発光する発光ダイオードとして緑色発光ダイオード２ｂとを具備している。複数の緑色発光ダイオード２ｂは緑色発光ダイオード列３ｂを形成している。
【００３３】
一つのＬＥＤライト４０ｂの複数の緑色発光ダイオード２ｂは、夫々互いに電気的に接続されている。複数の緑色発光ダイオード２ｂは、正面において露出した平面状の発光面４６ｂを夫々有している。緑色発光ダイオード列３ｂの発光の制御は、これらに供給される電流等の制御、例えばＰＷＭ制御によって行われ、これにより、光源６ｂの光量を速やかに且つ漸次的に滑らかに調整し得る。複数の緑色発光ダイオード２ｂの夫々の消費電力は１Ｗ〜２Ｗ程度である。ＬＥＤライト４０ｂの夫々は、これら夫々の消費電力が例えば２０Ｗ程度となるように複数の緑色発光ダイオード２ｂが並設されて形成されてもよい。緑色発光ダイオード列３ｂの光量は、白色発光ダイオード列５ｂの光量に対して大きい。
【００３４】
白色発光ダイオード列５ｂは緑色発光ダイオード列３ｂに対して下方に配設されているが、その逆に配設されてもよい。緑色ホリゾントライト９ｂの白色発光ダイオード列５ｂの電力は、緑色発光ダイオード列３ｂの電力の１／２以下であり、本例では、ＬＥＤライト３０ｂの消費電力は１０Ｗであり、ＬＥＤライト４０ｂの消費電力は２０Ｗであり、緑色ホリゾントライト９ｂの消費電力は１５０Ｗである。
【００３５】
斯かる光源６ｂは、ハロゲンランプ等を具備した光源に対してエネルギー消費量を大幅に低減することができる。
【００３６】
筐体８ｃは、内面が鏡面で形成されていると共に矩形状の光出射口７ｃを有している筐体本体２２ｃと、光出射口７ｃの縁部２３ｃにおいて筐体本体２２ｃに装着されたバンドア２４ｃとを具備している。
【００３７】
バンドア２４ｃの内側面２５ｃは、本例では鏡面からなっていてもよい。筐体本体２２ｃの横幅は２５０ｍｍ程度である。筐体本体２２ｃの内面は光源６ｃの照射光が光出射口７ｃを介して壁面１４に向かうように湾曲して形成されていてもよい。バンドア２４ｃは、筐体本体２２ｃにヒンジ等を介して可動に装着されており、バンドア２４ｃの筐体本体２２ｃに対する傾斜角を適宜調整することによってＴＶスタジオ、ステージ等の状況に応じた所望の照射光が得られる。
【００３８】
光源６ｃは、例えば図７に示すように、横方向に一列に並んで筐体本体２２ｃに装着された複数（本例では五つ）のＬＥＤライト３０ｃを具備している。複数のＬＥＤライト３０ｃの夫々は、例えば図７及び図８に示すように、筐体本体２２ｃに着脱自在に取り付けられると共に鏡面からなる光反射面としての内面３２ｃを有した正面視矩形状のケース３１ｃと、横方向において一列に並んでケース３１ｃの内部に設けられた複数の白色発光ダイオード４ｃとを具備している。複数の白色発光ダイオード４ｃは白色発光ダイオード列５ｃを形成している。
【００３９】
一つのＬＥＤライト３０ｃの複数の白色発光ダイオード４ｃは、夫々互いに電気的に接続されている。複数の白色発光ダイオード４ｃは、正面において露出した平面状の発光面３６ｃを夫々有している。白色発光ダイオード列５ｃの発光の制御は、これらに供給される電流等の制御、例えばＰＷＭ制御によって行われ、これにより、光源６ｃの光量を速やかに且つ漸次的に滑らかに調整し得る。複数の白色発光ダイオード４ｃの夫々の消費電力は１Ｗ〜２Ｗ程度である。ＬＥＤライト３０ｃの夫々は、これら夫々の消費電力が例えば１０Ｗ程度となるように複数の白色発光ダイオード４ｃが並設されてもよい。
【００４０】
光源６ｃは、横方向に一列に並んで筐体本体２２ｃに装着された複数（本例では五つ）のＬＥＤライト４０ｃを具備している。複数のＬＥＤライト４０ｃの夫々は、例えば図７及び図８に示すように、筐体本体２２ｃに着脱自在に取り付けられると共に鏡面からなる光反射面としての内面４２ｃを有した正面視矩形状のケース４１ｃと、横方向において一列に並んでケース４１ｃの内部に設けられた複数の白色と異なる色を発光する発光ダイオードとして青色発光ダイオード２ｃとを具備している。複数の青色発光ダイオード２ｃは青色発光ダイオード列３ｃを形成している。
【００４１】
一つのＬＥＤライト４０ｃの複数の青色発光ダイオード２ｃは、夫々互いに電気的に接続されている。複数の青色発光ダイオード２ｃは、正面において露出した平面状の発光面４６ｃを夫々有している。青色発光ダイオード列３ｃの発光の制御は、これらに供給される電流等の制御、例えばＰＷＭ制御によって行われ、これにより、光源６ｃの光量を速やかに且つ漸次的に滑らかに調整し得る。複数の青色発光ダイオード２ｃの夫々の消費電力は１Ｗ〜２Ｗ程度である。ＬＥＤライト４０ｃの夫々は、これら夫々の消費電力が例えば２０Ｗ程度となるように複数の青色発光ダイオード２ｃが並設されて形成されてもよい。青色発光ダイオード列３ｃの光量は、白色発光ダイオード列５ｃの光量に対して大きい。
【００４２】
白色発光ダイオード列５ｃは青色発光ダイオード列３ｃに対して下方に配設されているが、その逆に配設されてもよい。青色ホリゾントライト９ｃの白色発光ダイオード列５ｃの電力は、青色発光ダイオード列３ｃの電力の１／２以下であり、本例では、ＬＥＤライト３０ｃの消費電力は１０Ｗであり、ＬＥＤライト４０ｃの消費電力は２０Ｗであり、青色ホリゾントライト９ｃの消費電力は１５０Ｗである。
【００４３】
斯かる光源６ｃは、ハロゲンランプ等を具備した光源に対してエネルギー消費量を大幅に低減することができる。
【００４４】
赤色発光ダイオード２ａの夫々の平面状の発光面４６ａ、緑色発光ダイオード２ｂの夫々の平面状の発光面４６ｂ、青色発光ダイオード２ｃの夫々の平面状の発光面４６ｃ並びに白色発光ダイオード４ａ、４ｂ及び４ｃの平面状の発光面３６ａ、３６ｂ及び３６ｃの夫々は、互いに面一であってもよい。
【００４５】
以上のホリゾントライト装置１では、赤色ホリゾントライト９ａ及び１０ａ、緑色ホリゾントライト９ｂ及び１０ｂ並びに青色ホリゾントライト９ｃ及び１０ｃによる照射光の光量を適宜調整することによって赤、緑及び青の三つの原色を混ぜる加法混色を速やかに且つ漸次的に滑らかに行い得る。
【００４６】
本例のホリゾントライト装置１によれば、赤色発光ダイオード２ａが配列された赤色発光ダイオード列３ａ及び白色発光ダイオード４ａが配列された白色発光ダイオード列５ａを有した光源６ａが光出射口７ａを有する筐体８ａ内に配設された赤色ホリゾントライト９ａと、赤色ホリゾントライト９ａに対して隣接配置されており、緑色発光ダイオード２ｂが配列された緑色発光ダイオード列３ｂ及び白色発光ダイオード４ｂが配列された白色発光ダイオード列５ｂを有した光源６ｂが光出射口７ｂを有する筐体８ｂ内に配設された緑色ホリゾントライト９ｂと、緑色ホリゾントライト９ｂに対して隣接配置されており、青色発光ダイオード２ｃが配列された青色発光ダイオード列３ｃ及び白色発光ダイオード４ｃが配列された白色発光ダイオード列５ｃを有した光源６ｃが光出射口７ｃを有する筐体８ｃ内に配設された青色ホリゾントライト９ｃとを具備しており、赤色ホリゾントライト９ａ、緑色ホリゾントライト９ｂ及び青色ホリゾントライト９ｃのうちの少なくとも一つのホリゾントライトの白色発光ダイオード列５ａ、５ｂ又は５ｃの電力は、前記少なくとも一つのホリゾントライトの赤色発光ダイオード列３ａ、緑色発光ダイオード列３ｂ及び青色発光ダイオード列３ｃのうちの少なくとも一つの電力の１／２以下であるために、カラーフィルタを用いなくとも所定色の照射光を壁面１４に向けて照射することができ、エネルギー消費量及び発熱量を低減させることができ、また、筐体の排熱口数を減少させ又はなくし得、各ホリゾントライトの筐体から光漏れが生じる虞をなくし得る。
【００４７】
ホリゾントライト装置１によれば、筐体８ａ、８ｂ及び８ｃは、鏡面からなる内面を有していると共に光出射口７ａ、７ｂ及び７ｃを有した筐体本体２２ａ、２２ｂ及び２２ｃと、光出射口７ａ、７ｂ及び７ｃの縁部２３ａ、２３ｂ及び２３ｃにおいて筐体本体２２ａ、２２ｂ及び２２ｃに装着されたバンドア２４ａ、２４ｂ及び２４ｃとを具備しており、バンドア２４ａ、２４ｂ及び２４ｃの内側面２５ａ、２５ｂ及び２５ｃは鏡面からなっているために、光出射口７ａ、７ｂ及び７ｃからの照射光の一部やハレーションをカットし得ると共に、バンドア２４ａ、２４ｂ及び２４ｃの内側面２５ａ、２５ｂ及び２５ｃに反射した反射光をも壁面１４の照射に利用し得る。
【００４８】
ホリゾントライト装置１によれば、赤色発光ダイオード２ａ、緑色発光ダイオード２ｂ、青色発光ダイオード２ｃ並びに白色発光ダイオード４ａ、４ｂ及び４ｃの夫々は、平面状の発光面３６ａ、３６ｂ、３６ｃ、４６ａ、４６ｂ及び４６ｃを有しているために、照射光に色ムラが生じる虞を低減し得る。
【００４９】
ところで、上記例では、例えば赤色ホリゾントライト９ａでは、ケース４１ａに収容された赤色発光ダイオード列３ａと、ケース３１ａに収容された白色発光ダイオード列５ａとを具備した光源６ａを筐体８ａ内に収容して、赤色発光ダイオード列３ａの赤色発光ダイオード２ａからの光を直接に及びケース４１ａの内面４２ａ及び筐体８ａの内面を介して、そして、白色発光ダイオード列５ａの白色発光ダイオード４ａからの光を直接に及びケース３１ａの内面３２ａ及び筐体８ａの内面を介して光出射口７ａから壁面１４に向かって照射するようにしたが、これに代えて、図１０に示すように、筐体８ａの筐体本体２２ａの基部５１に、互いに隣接させると共に発光面４６ａ及び３６ａを面一にして赤色発光ダイオード列３ａと白色発光ダイオード列５ａとを取付け、筐体本体２２ａの光反射面としての上面５２及び下面５３の夫々と発光面４６ａ及び３６ａとの交差角αが９０°から１３５°内の角度となるように、筐体８ａを形成してもよく、この場合、筐体本体２２ａの光反射面としての両側面も、発光面４６ａ及び３６ａとの交差角αが９０°から１３５°内の角度となるようにするとよく、斯かる筐体８ａによれば、光源６ａからの光出射孔７ａを介する壁面１４への照射を色ムラなしに行い得る。緑色ホリゾントライト９ｂ、青色ホリゾントライト９ｃ、赤色ホリゾントライト１０ａ、緑色ホリゾントライト１０ｂ及び青色ホリゾントライト１０ｃに対しても同様に構成することにより、色ムラのない照射を得ることができる。
【符号の説明】
【００５０】
１  ホリゾントライト装置
２ａ  赤色発光ダイオード
３ａ  赤色発光ダイオード列
２ｂ  緑色発光ダイオード
３ｂ  緑色発光ダイオード列
２ｃ  青色発光ダイオード
３ｃ  青色発光ダイオード列
４ａ、４ｂ、４ｃ  白色発光ダイオード
５ａ、５ｂ、５ｃ  白色発光ダイオード列
６ａ、６ｂ、６ｃ  光源
７ａ、７ｂ、７ｃ  光出射口
８ａ、８ｂ、８ｃ  筐体
９ａ、１０ａ  赤色ホリゾントライト
９ｂ、１０ｂ  緑色ホリゾントライト
９ｃ、１０ｃ  青色ホリゾントライト
１１  基体
【図１】
2013143347.tif 000003
【図２】
2013143347.tif 000004
【図３】
2013143347.tif 000005
【図４】
2013143347.tif 000006
【図５】
2013143347.tif 000007
【図６】
2013143347.tif 000008
【図７】
2013143347.tif 000009
【図８】
2013143347.tif 000010
【図９】
2013143347.tif 000011
【図１０】
2013143347.tif 000012